(57)【特許請求の範囲】
【請求項１】
表面に凸設された突起を、当該ブロックと同形状をなす他のブロックの表面に凹設された凹部に嵌め込むことによって、又は表面に凹設された凹部に、前記他のブロックの突起を嵌め込むことによって、前記他のブロックに結合可能に構成された正六面体のブロックであって、
前記正六面体の第１面には、当該面を４つの正方形に４等分した１つの区分の中央にブロックを結合するための１つの突起が形成されるとともに、前記突起が形成された区分以外の３つの区分のうち少なくとも１つの区分の中央に、前記他のブロックの突起を嵌合し得る凹部が形成されており、
前記正六面体の前記第１面に直交する４つの第２面、第４面、第５面、及び第６面のうち、少なくとも１つの面が、当該面を４つの正方形に４等分して形成された４つの区分のうち、少なくとも１つの区分の中央に前記他のブロックの突起を嵌合し得る凹部が形成され、
前記第２面、第４面、第５面、及び第６面に形成された前記凹部のうち少なくとも１つの凹部は、前記第１面に形成された前記凹部の１つと前記正六面体の辺を挟んで隣接しており、これら正六面体の辺を挟んで隣接する２つの凹部は内部で互いに連通し、これら隣接する２つの凹部の一方の凹部に前記他のブロックの突起を嵌合すると、他方の凹部が当該突起により塞がれることを特徴とする連結可能なブロック。
【請求項２】
表面に凸設された突起を、当該ブロックと同形状をなす他のブロックの表面に凹設された凹部に嵌め込むことによって、又は表面に凹設された凹部に、前記他のブロックの突起を嵌め込むことによって、前記他のブロックに結合可能に構成された正六面体のブロックであって、
前記正六面体の第１面には、当該面を４つの正方形に４等分した１つの区分の中央にブロックを結合するための１つの突起が形成され、
前記正六面体の前記第１面に直交する４つの第２面、第４面、第５面、及び第６面のうち、少なくとも１つの面が、当該面を４つの正方形に４等分して形成された４つの区分のうち、少なくとも１つの区分の中央に前記他のブロックの突起を嵌合し得る凹部が形成され、
前記正六面体の第１面に平行な第３面には、当該面を４つの正方形に４等分した区分のうち、少なくとも１つの区分の中央に前記他のブロックの突起を嵌合しうる凹部が形成されており、
前記第２面、第４面、第５面、及び第６面に形成された前記凹部のうち少なくとも１つの凹部は、前記第３面に形成された前記凹部の１つと前記正六面体の辺を挟んで隣接しており、これら正六面体の辺を挟んで隣接する２つの凹部は内部で互いに連通し、これら隣接する２つの凹部の一方の凹部に前記他のブロックの突起を嵌合すると、他方の凹部が当該突起により塞がれることを特徴とする連結可能なブロック。
【請求項３】
表面に凸設された突起を、当該ブロックと同形状をなす他のブロックの表面に凹設された凹部に嵌め込むことによって、又は表面に凹設された凹部に、前記他のブロックの突起をはめ込むことによって、前記他のブロックに結合可能に構成された正六面体のブロックであって、
前記正六面体の第１面には、当該面を４つの正方形に４等分した１つの区分の中央にブロックを結合するための１つの突起が形成されるとともに、前記突起が形成された区分以外の３つの区分のうち少なくとも前記突起に隣接する２つの区分の中央に、前記他のブロックの突起を嵌合し得る凹部が形成されており、
前記正六面体の前記第１面に直交する４つの第２面、第４面、第５面、及び第６面のうち、少なくとも１つの面が、当該面を４つの正方形に４等分して形成された４つの区分のうち、少なくとも１つの区分の中央に前記他のブロックの突起を嵌合し得る凹部が形成されるとともに、少なくとも１つの区分が平面に形成されており、
前記第１面に平行な面を第３面として、前記第１面から前記第６面までの全面で結合に用いるための突起が１つであり、
前記第２面、第４面、第５面、及び第６面に形成された前記凹部のうち少なくとも１つの凹部は、前記第１面に形成された前記凹部の１つと前記正六面体の辺を挟んで隣接しており、これら正六面体の辺を挟んで隣接する２つの凹部は内部で互いに連通し、これら隣接する２つの凹部の一方の凹部に前記他のブロックの突起を嵌合すると、他方の凹部が当該突起により塞がれることを特徴とする連結可能なブロック。
【請求項４】
表面に凸設された突起を、当該ブロックと同形状をなす他のブロックの表面に凹設された凹部に嵌め込むことによって、又は表面に凹設された凹部に、前記他のブロックの突起を嵌め込むことによって、前記他のブロックに結合可能に構成された正六面体のブロックであって、
前記正六面体の第１面には、当該面を４つの正方形に４等分した１つの区分の中央にブロックを結合するための１つの突起が形成され、
前記正六面体の第１面に直交する４つの第２面、第３面、第５面、及び第６面のそれぞれには、当該それぞれの面を４つの正方形に４等分して形成された４つの区分のうち対角に位置する２つの区分のそれぞれの中央に前記他のブロックの突起を嵌合し得る凹部が形成されるとともに他の２つの区分に平面が形成され、前記第２面、第４面、前記第５面、及び第６面の凹部が形成された対角方向が同一方向とされたことを特徴とする連結可能なブロック。
【発明の詳細な説明】
【技術分野】
【０００１】
本発明は、多数のブロックを用意して、一つのブロックの表面に凸設された突起を、他のブロックの表面に凹設された凹部に嵌め込む作業を繰り返すことによって、多数のブロックを相互に連結して、種々の立体形状を構成することができるブロックに関するものである。
【背景技術】
【０００２】
多数のブロックを連結して種々の立体形状を構成するブロックとしては、直方体のブロックの天面に４〜８個等の複数の突起を形成し、前記天面に平行な底面には、前記突起を全て嵌め込むことのできる凹部を形成したものが、特許文献１等に開示されているように、広く知られている。
【先行技術文献】
【特許文献】
【０００３】
【特許文献１】特表２００２−５３４２４０
【発明の概要】
【発明が解決しようとする課題】
【０００４】
前記特許文献１に開示されたブロックは、天面に複数の突起を形成したものであるので、何も考えなくても積み重ねて連結していくことが容易であって、思考を余り要しないので、知育性やゲーム性に乏しい。
また、側面には突起や凹部が形成されていないので、種々の連結状態を得にくかった。
側面にも突起や凹部が形成されているブロックも提案されているが、いずれも天面には、複数の突起が形成されたものや、１つの突起が形成されたものであっても中央に形成されているものであるので、単純な連結構造は可能であるが、思考を要する複雑な連結構造は得られにくい。従って、いずれのブロックも、知育性やゲーム性に乏しいものであった。
そこで、本発明においては、単体では単純な形状のブロックでありながら、連結状態を工夫することによって、種々の立体構造を得ることのできるブロックを提案するものである。
【課題を解決するための手段】
【０００５】
本発明に係るブロックは、
表面に凸設された突起を、当該ブロックと同形状をなす他のブロックの表面に凹設された凹部に嵌め込むことによって、又は表面に凹設された凹部に、前記他のブロックの突起を嵌め込むことによって、前記他のブロックに結合可能に構成された正六面体のブロックであって、
前記正六面体の第１面には、当該面を４つの正方形に４等分した１つの区分の中央にブロックを結合するための１つの突起が形成されるとともに、前記突起が形成された区分以外の３つの区分のうち少なくとも１つの区分の中央に、前記他のブロックの突起を嵌合し得る凹部が形成されており、
前記正六面体の前記第１面に直交する４つの第２面、第４面、第５面、及び第６面のうち、少なくとも１つの面が、当該面を４つの正方形に４等分して形成された４つの区分のうち、少なくとも１つの区分の中央に前記他のブロックの突起を嵌合し得る凹部が形成され、
前記第２面、第４面、第５面、及び第６面に形成された前記凹部のうち少なくとも１つの凹部は、前記第１面に形成された前記凹部の１つと前記正六面体の辺を挟んで隣接しており、これら正六面体の辺を挟んで隣接する２つの凹部は内部で互いに連通し、これら隣接する２つの凹部の一方の凹部に前記他のブロックの突起を嵌合すると、他方の凹部が当該突起により塞がれることを特徴とする。
請求項２では、表面に凸設された突起を、当該ブロックと同形状をなす他のブロックの表面に凹設された凹部に嵌め込むことによって、又は表面に凹設された凹部に、前記他のブロックの突起を嵌め込むことによって、前記他のブロックに結合可能に構成された正六面体のブロックであって、
前記正六面体の第１面には、当該面を４つの正方形に４等分した１つの区分の中央にブロックを結合するための１つの突起が形成され、
前記正六面体の前記第１面に直交する４つの第２面、第４面、第５面、及び第６面のうち、少なくとも１つの面が、当該面を４つの正方形に４等分して形成された４つの区分のうち、少なくとも１つの区分の中央に前記他のブロックの突起を嵌合し得る凹部が形成され、
前記正六面体の第１面に平行な第３面には、当該面を４つの正方形に４等分した区分のうち、少なくとも１つの区分の中央に前記他のブロックの突起を嵌合しうる凹部が形成されており、
前記第２面、第４面、第５面、及び第６面に形成された前記凹部のうち少なくとも１つの凹部は、前記第３面に形成された前記凹部の１つと前記正六面体の辺を挟んで隣接しており、これら正六面体の辺を挟んで隣接する２つの凹部は内部で互いに連通し、これら隣接する２つの凹部の一方の凹部に前記他のブロックの突起を嵌合すると、他方の凹部が当該突起により塞がれることを特徴とする。
請求項３では、表面に凸設された突起を、当該ブロックと同形状をなす他のブロックの表面に凹設された凹部に嵌め込むことによって、又は表面に凹設された凹部に、前記他のブロックの突起をはめ込むことによって、前記他のブロックに結合可能に構成された正六面体のブロックであって、
前記正六面体の第１面には、当該面を４つの正方形に４等分した１つの区分の中央にブロックを結合するための１つの突起が形成されるとともに、前記突起が形成された区分以外の３つの区分のうち少なくとも前記突起に隣接する２つの区分の中央に、前記他のブロックの突起を嵌合し得る凹部が形成されており、
前記正六面体の前記第１面に直交する４つの第２面、第４面、第５面、及び第６面のうち、少なくとも１つの面が、当該面を４つの正方形に４等分して形成された４つの区分のうち、少なくとも１つの区分の中央に前記他のブロックの突起を嵌合し得る凹部が形成されるとともに、少なくとも１つの区分が平面に形成されており、
前記第１面に平行な面を第３面として、前記第１面から前記第６面までの全面で結合に用いるための突起が１つであり、
前記第２面、第４面、第５面、及び第６面に形成された前記凹部のうち少なくとも１つの凹部は、前記第１面に形成された前記凹部の１つと前記正六面体の辺を挟んで隣接しており、これら正六面体の辺を挟んで隣接する２つの凹部は内部で互いに連通し、これら隣接する２つの凹部の一方の凹部に前記他のブロックの突起を嵌合すると、他方の凹部が当該突起により塞がれることを特徴とする。
請求項４では、表面に凸設された突起を、当該ブロックと同形状をなす他のブロックの表面に凹設された凹部に嵌め込むことによって、又は表面に凹設された凹部に、前記他のブロックの突起を嵌め込むことによって、前記他のブロックに結合可能に構成された正六面体のブロックであって、
前記正六面体の第１面には、当該面を４つの正方形に４等分した１つの区分の中央にブロックを結合するための１つの突起が形成され、
前記正六面体の第１面に直交する４つの第２面、第３面、第５面、及び第６面のそれぞれには、当該それぞれの面を４つの正方形に４等分して形成された４つの区分のうち対角に位置する２つの区分のそれぞれの中央に前記他のブロックの突起を嵌合し得る凹部が形成されるとともに他の２つの区分に平面が形成され、前記第２面、第４面、前記第５面、及び第６面の凹部が形成された対角方向が同一方向とされたことを特徴とする。
【発明の効果】
【０００６】
本発明に係る連結可能なブロックによれば、
六面体の少なくとも１面には突起が１つしか形成されていないので、複雑な立体構造を構成するには、深い空間的な思考が必要となり、空間認識の訓練や知育用に優れた効果が得られる。しかも、前記１つの突起は平面の中心位置から変位させた位置に形成されているので、他のブロックのどの凹部に嵌め込むかによって、種々の連結構造を得ることができる。
このように、本発明の連結可能なブロックによれば、種々の立体形状を構成するためには、深い空間認識の思考が必要になるので、優れた知育性やゲーム性が得られる。
また、側面にも凹部が形成されているので、種々の連結状態を得ることができる。
このように、本発明の連結可能なブロックによれば、単体では単純な形状のブロックでありながら、連結状態を工夫することによって、種々の立体構造を得ることができる。
【図面の簡単な説明】
【０００７】
【図１】本発明に係る連結可能なブロックの斜視図である。
【図２】実施例１の連結可能なブロックの斜視図である。
【図３】実施例１の連結可能なブロックの平面図である。
【図４】実施例１の連結可能なブロックの連結構造を説明する説明図である。
【図５】実施例１の連結可能なブロックの連結構造を説明する説明図である。
【図６】実施例１の連結可能なブロックの連結構造を説明する説明図である。
【図７】実施例１の連結可能なブロックを連結して得られた連結構造の種々の例を示す斜視図である。
【図８】実施例１の連結可能なブロックを連結して得られた連結構造の種々の例を示す斜視図である。
【図９】実施例２の連結可能なブロックの斜視図である。
【図１０】実施例３の連結可能なブロックの斜視図である。
【図１１】実施例４の連結可能なブロックの斜視図である。
【発明を実施するための形態】
【０００８】
以下に、本発明に係る連結可能なブロックを実施するための形態を図面を参照して説明する。
【０００９】
本発明に係る連結可能なブロックは、図１に示したように、
六面体Ａは、一方のブロックの表面に凸設された突起を、他方のブロックの表面に凹設された凹部に嵌め込むことによって、少なくとも２つのブロックを相互に結合可能に構成された六面体のブロックであって、
図上で天面を第１面Ａ１、図上で第１面Ａ１の右隣の側面を第２面Ａ２、図上で底面を第３面Ａ３、図上で第１面Ａ１の左隣の側面を第４面Ａ４、図上で正面を第５面Ａ５、そして、図上で背面を第６面Ａ６とする。
【００１０】
６面の内の少なくとも前記第１面Ａ１には突起Ａ１１が形成され、６面の内の少なくとも他の１面である第２面Ａ２には凹部Ａ２１が形成されている。
前記突起Ａ１１は当該第１面Ａ１の中心位置から変位させた位置に形成され、前記凹部Ａ２１は前記第２平面Ａ２の中心位置から変位させた位置に形成されている。
前記突起Ａ１１の形状は、断面形状が正方形等の柱状とし、前記凹部Ａ２１の形状は、前記突起Ａ１１を嵌め込むことのできる形状と大きさとする。
【００１１】
前記六面体Ａは正六面体が好ましいが、正六面体でなくてもよい。隣り合う２つの面は、規則的な立体を組み立てるには互いに直交していることが好ましいが、直交していなくてもよい。
前記突起は、６面の内の少なくとも１面に１つだけ形成されていればよいが、１つの面に２つ以上でもよく、２面以上の面に形成されてもよい。
【００１２】
前記突起が形成された第１面Ａ１には、突起が１つでも、２つでも、３つでも、４つでも可能である。突起が２つの場合には、その面の対角線上に設けるとよいが、隣り合わせて並べてもよい。突起が３つまでなら、凹部は無くてもよいがあってもよい。
【００１３】
前記凹部Ａ２１が形成された第２面Ａ２には、凹部が１つでも、２つでも、３つでも、４つでも可能である。凹部が２つの場合には、その面の対角線上に設けるとよいが、隣り合わせて並べてもよい。凹部が３つまでなら、突起は無くてもよいがあってもよい。
【００１４】
１つの面に突起と凹部の両方が形成されている場合で、突起が１つの場合には、凹部を１つでも、２つでも、３つでも形成することが可能であり、突起が２つの場合には、凹部を１つでも、２つでも形成することが可能であり、突起が３つの場合には、凹部を１つ形成することが可能である。
【実施例１】
【００１５】
以下に、本発明に係るブロックの実施例を、図２、図３を参照して説明する。
実施例１に係るブロックＢは、正六面体のブロックであり、
六面の内の１つの平面である第１面Ｂ１には、その面Ｂ１を４等分（図３に示した破線で４等分。）した１つの区分の中央に突起Ｂ１１を設け、前記４等分した他の３つの区分の中央には、他の同形状のブロックに形成された前記突起Ｂ１１と同じ形状で同じ大きさの突起を嵌め込むことのできる大きさの凹部Ｂ１２、Ｂ１３、Ｂ１４をそれぞれ設けた。
前記１つの平面以外の５面の各面には、それぞれの平面を４等分した２つの区分もしくは４つの区分の中央には、前記突起を嵌め込むことのできる大きさの凹部をそれぞれ設けた。
前記ブロックＢの材質は、ＰＰ樹脂やＡＢＳ樹脂等のように種々の材質を選択して採用することができる。【００１６】
前記突起Ｂ１１は、断面形状が正方形の四角柱状の突起とし、
前記凹部Ｂ１２、Ｂ１３、Ｂ１４は、前記突起Ｂ１１を挿し込み得る形状と大きさの凹部とした。なお、前記ブロックＢの１辺の長さに対する前記突起Ｂ１１の高さの割合は、図示した例に限らず、より小さい割合としてもよい。
前記凹部Ｂ１２は、４面の内壁面を備えており、前記４面の内壁面の内の隣り合う２面と、前記凹部の底面には、それぞれ２条のリブＢ１５、Ｂ１６が形成されている。
従って、これらのリブＢ１５、Ｂ１６の高さ分だけ前記凹部Ｂ１２は広めに形成されている。これらのリブＢ１５、Ｂ１６によって、前記凹部Ｂ１２に挿しこまれた突起はキッチリ嵌め込まれた状態となり、緩すぎることなく且つきつすぎて着脱がしにくくなることを防いでいる。他の凹部Ｂ１３、Ｂ１４も前記凹部Ｂ１２と同様の構成である。
前記リブを備えていないブロックの場合には、前記凹部は、前記突起を丁度嵌め込み得る形状と大きさの凹部とする。
【００１７】
図４には、上記構成のブロックＢを２個重ねて連結する場合の説明図を示している。図４（Ａ）において、下のブロックの突起を、上のブロックの４つの凹部の内のどの凹部に嵌め込むかの違いによって、図４（Ｂ）のように直線上に連結する連結状態や、図４（Ｃ）、図４（Ｄ）、図４（Ｅ）のように横にずれた連結状態が得られる。
このように、４通りの異なる連結状態が得られるので、これらを組み合わせることによって、種々の形状の連結構造を構成することができる。【００１８】
図５には、上記構成のブロックＢを２個連結して、突起の向きを異ならせる場合の説明図を示している。図５（Ａ）において、右のブロックの突起を、左のブロックのどの面のどの凹部に嵌め込むかの違いによって、例えば図５（Ｂ）のように、突起の向きを変えた連結状態が得られる。
このように、突起の向きが異なる連結状態が得られるので、これらを組み合わせることによって、種々の形状の連結構造を構成することができる。【００１９】
図６には、上記構成のブロックＢを２個連結して、突起が隠れるよう連結する場合の説明図を示している。図６に示したように、左のブロックの突起を、右のブロックの凹部に嵌め込み、前記右のブロックの突起を、前記左のブロックの凹部に嵌め込むことによって、突起が隠れた連結状態が得られる。
以上の種々の連結状態を組み合わせることによって、図７、８に例示したように、様々な立体形状の連結構造を構成することができる。
数種類の異なる色のブロックを連結される場合には、構成される立体形状の部位ごとに特定の色のブロックを配するように工夫することによって、色分けされた立体形状の連結構造を得ることもできる。【００２０】
また、透明なブロックと組み合わせた連結構造や、発光体を内蔵したブロックと組み合わせることによって、インテリアにもなる。また、タイヤ等の車輪を備えたブロックや、顔や目や手足等の形状を備えたブロック等と組み合わせた連結構造とすることによって、動かせる玩具や動物や人形の形状の連結構造を構成することもできる。
各ブロックの大きさは、１辺の長さが２０mm程度の小型のものから、１辺の長さが１０cm程度の中型のもの、１辺の長さが１m程度の大形のものまで、種々の大きさとすることができる。基本的には、同じ大きさのブロックを連結するものとする。
組み合わせ数量としては、例えば、図７（Ｃ）に例示した立体構造を組み立てるのに必要な１２個のブロックを組み合わせて１セットとして販売してもよい。
【実施例２】
【００２１】
実施例２に係るブロックＣは、図９に示したように、突起を設けた１つの平面以外の５面に、それぞれの４つの凹部を設けた。
【実施例３】
【００２２】
実施例３に係るブロックＤは、２つの面に突起を設けたブロックであり、図１０に示したように、６つの面の内、互いに平行な１対の面である第１面Ｄ１と第３面Ｄ３には、その面Ｄ１、Ｄ３を４等分した１つの区分の中央に突起Ｄ１１、Ｄ３１を設け、前記４等分した他の３つの区分の内の少なくとも１つの区分の中央には、他のブロックの突起を嵌め込むことのできる大きさの凹部を設けた。
【実施例４】
【００２３】
実施例４に係るブロックＥは、２つの面に突起を設けたブロックであり、図１１に示したように、６つの面の内、隣り合う２つの面である第１面Ｅ１と第２面Ｅ２には、その面Ｅ１、Ｅ２を４等分した１つの区分の中央に突起Ｅ１１、Ｅ２１を設け、前記４等分した他の３つの区分の内の少なくとも１つの区分の中央には、他のブロックの突起を嵌め込むことのできる大きさの凹部を設けた。
【００２４】
実施例３、４のように、突起は１つの面に限らず２つの面に設けてもよく、３つ以上の面にそれぞれ設けてもよい。
また、凹部は、各面に少なくとも１つ設ければよく、各面に２〜４つ設けることもできる。
いずれにしても、各突起も各凹部も、１つの平面を四等分した各区分の中央に設ければよい。
【符号の説明】
【００２５】
Ａ  連結可能なブロック
Ａ１  第１面
Ａ２  第２面
Ａ３  第３面
Ａ４  第４面
Ａ５  第５面
Ａ６  第６面
Ａ１１  突起
Ａ２１  凹部
Ｂ  連結可能なブロック
Ｂ１  第１面
Ｂ２  第２面
Ｂ３  第３面
Ｂ４  第４面
Ｂ５  第５面
Ｂ６  第６面
Ｂ１１  突起
Ｂ１２  凹部
Ｂ１３  凹部
Ｂ１４  凹部
Ｂ２１  凹部
Ｂ２１  凹部
Ｂ２２  凹部
Ｂ５１  凹部
Ｂ５２  凹部
Ｂ１５  リブ
Ｂ１６  リブ
Ｃ  連結可能なブロック
Ｄ  連結可能なブロック
Ｄ１  第１面
Ｄ１１  突起
Ｄ３  第３面
Ｄ３１  突起
Ｅ  連結可能なブロック
Ｅ１  第１面
Ｅ１１  突起
Ｅ２  第２面
Ｅ２１  突起
【図１】
0005595492.tif 000002
【図２】
0005595492.tif 000003
【図３】
0005595492.tif 000004
【図４】
0005595492.tif 000005
【図５】
0005595492.tif 000006
【図６】
0005595492.tif 000007
【図７】
0005595492.tif 000008
【図８】
0005595492.tif 000009
【図９】
0005595492.tif 000010
【図１０】
0005595492.tif 000011
【図１１】
0005595492.tif 000012